(57)【要約】      （修正有）【課題】従来のシート緊張装置は仮設足場の縦地パイプ材の最上位と最下位に夫々にテンションレールを設けることを必須としていたが、最上位のテンションレールを排除しても設置する仮設シートを最下位のテンションレールによって緊張，弛緩することができ、しかも、当該仮設シートが縦地パイプ材や横架材に干渉することなくピンと張れるようにするための支持金具を提供する。【解決手段】仮設足場の縦地パイプ材の外面に設けられたボックス状の係合部に嵌入される略クサビ状の嵌入部１０と、該嵌入部の前面上部に一体に配置した略筒状のクサビ受入部１２，１３と、本体部１１の前面に突出形成したハトメ係止用のフック１５，１６とを備えて支持金具ＴＰを構成した。【選択図】図１
0003208108.tif 000002
【実用新案登録請求の範囲】
【請求項１】
仮設足場の縦地パイプ材の外面に設けられたボックス状の係合部に嵌入される略クサビ状の嵌入部と、該嵌入部の前面上部に一体に配置した略筒状のクサビ受入部と、前記本体部の前面に突出形成したハトメ係止用のフックとを備えたことを特徴とする支持金具。
【請求項２】
支持金具の嵌入部は、仮設足場の縦地パイプ材の前面に設けられたボックス状の係合部に嵌合して前記縦地パイプ材に配置する請求項１に記載の支持金具。
【請求項３】
左右の縦地パイプ材に設けられた支持金具の左右で対面したクサビ受入部には、横架材の左右両端部に設けた下向きのクサビ部材を嵌合させて前記横架材を架設する請求項２に記載の支持金具。
【考案の詳細な説明】
【技術分野】
【０００１】
本考案は、建築現場等に設置される仮設足場における縦地パイプ材（一側足場）などの支柱に設置して、前記仮設足場に張設される仮設シートを支持するための金具に関する。本考案における仮設シートには、帆布などの布綿によるシートは勿論、網地やネットによるシートを含むものとする。
【背景技術】
【０００２】
建築現場等においては、従来から仮設足場を設置し、その足場支柱等に養生シートなどの仮設シートを張設し、前記建築現場等を安全面や景観保持等のために仮設シートで囲ってしまうことが行われている。
【０００３】
しかし、従来の仮設シートの設置は、全周に係止用のハトメが列設された長方形状のシートを、そのハトメにおいて足場支柱等の足場材に取付紐などで結びつけて吊り下げ形態で設けられているため、設置したシート面にシワが生じたり膨らみが出ることが多い。このように仮設シートがピンと緊張して張られた状態で仮設足場に設置されないため、見映えが良好でないという難点かあった。
また、シートがピンと張られていないため、例えば風に煽られると、シートがバタついたり、吊りが緩んだりして一層見映えを損なうのみならず、安全面でも不適切になっていた。
【０００４】
上記のような従来の仮設シートの問題点に鑑み、本願の出願人は、仮設シートをピンと張るための技術を「シート緊張装置」の発明として先に特許出願している(特許文献１参照)。
【０００５】
本出願人が先に提案したシート緊張装置は、建築工事現場等に設置された仮設足場材である縦地パイプ材に、シートを展張設置するために、シートのハトメを係止するフックと前記パイプ材に結合するためのクランプを備えたテンションレールを、前記縦地パイプ材の最上位部と最下位部に前記クランプで結合して架設すると共に、前記最上位と最下位のテンションレールのフックにシートのフックを係止して、前記最上位又は最下位のテンションレールの縦地パイプ材に対する上下方向での位置を調整することにより、前記シートの張り具合を、緊張〜弛緩の間で自在に変更，調節できるようにしたものである。
【０００６】
上記シート緊張装置は、仮設足場の縦地パイプ材における最上位と最下位の２本のテンションレールを不可欠とすることから、該テンションレールの構造は、金属製パイプのレール本体と、該レール本体の両端に、前記足場の縦地パイプ材に結合されるクランプを備えると共に、当該レール本体の中間部に、フックを前面に備えたランナー部材の複数個をスライド自在に架装した形態である。このため前記テンションレールは1本で４kg程度の重量があり、この重たいテンションレールを、前記足場の最上位へ人力で持ち上げることは非省力的であり作業効率も良くないという問題が指摘された。
【０００７】
一方、仮設足場の縦地パイプ材に設置するシートを吊り下げるために、当該シートを係止するためのフックを備えたクランプ等の支持金具が特許文献２，３によって提案されている。
【０００８】
前記文献２，３に提案されている支持金具は、仮設足場の縦地パイプ材の外面に設けられている係合ボックスに係止させて縦地パイプ材に取付けたり、前記縦地パイプ材に直接クランプで結合することにより設けられるタイプであるため、次のような問題がある。
【０００９】
即ち、支持金具の上記設置態様であると、設けた支持金具が縦地パイプ材の前面に対して余り離間しない所に位置付けられることになるため、該支持金具のフックに仮設シートのハトメを掛け止めると、掛け止めた仮設シート面と縦地パイプ材や支持金具の凸出部が干渉してシート面をフラット状態にしてピンと張れないのである。
【先行技術文献】
【特許文献】
【００１０】
【特許文献１】特開２０１５−１２７４９８公報
【特許文献２】特開２０００−２０４７６７公報
【特許文献３】特開２００７−２７７９８５公報
【考案の概要】
【考案が解決しようとする課題】
【００１１】
そこで本考案は、先に本願の出願人が提案したシート緊張装置が仮設足場の縦地パイプ材の最上位と最下位に設けることを必須としていた２本のテンションレールのうち、最上位のテンションレールを排除しても、設置するシートを最下位のテンションレールによって緊張，弛緩することができ、しかも、当該シートが縦地パイプ材や横架材に干渉することなくピンと張れるように、このシートの最上位のハトメを係止するための支持金具を提供することを、課題とする。
【課題を解決するための手段】
【００１２】
上記課題を解決するためになされた本考案支持金具の構成は、仮設足場の縦地パイプ材の外面に設けられたボックス状の係合部に嵌入される略クサビ状の嵌入部と、該嵌入部の前面上部に一体に配置した略筒状のクサビ受入部と、前記本体部の前面に突出形成したハトメ係止用のフックとを備えたことを特徴とする。前記ハトメ係止用の前記フックは、左右に２個並べて設けられている。
【００１３】
上記支持金具は、仮設足場の縦地パイプ材の最上位における足場手すりが取付けられるボックス状係合部と同高であって、当該縦地パイプ材の前面にあるボックス状の係合部に、その嵌入部を嵌入して設置される。
【考案の効果】
【００１４】
本考案は、仮設足場の縦地パイプ材の外面に設けられたボックス状の係合部に嵌入される略クサビ状の嵌入部と、該嵌入部の前面上部に一体に配置した略筒状のクサビ受入部と、前記本体部の前面に突出形成したハトメ係止用のフックとを備えて、仮設シート張設用の支持金具としたので、仮設足場の縦地パイプ材の最上位に、従来装置のテンションレールを用いることなく、前記仮設シートを、そのシートの上端の左右側のハトメを係止して支持することができる。このとき、支持金具が縦地パイプ材の前面よりも前方に位置付けられるから、支持された前記シートは、その面が縦地パイプ材などの足場部材に干渉されることなく、フラット面でピンと張ることができる。
【図面の簡単な説明】
【００１５】
【図１】本考案支持金具の一例の前方からの斜視図。
【図２】図１の支持金具の背面上方からの斜視図。
【図３】仮設足場における左右一対の縦地パイプ材を高さ方向の中間を省略して表示し、その縦地パイプ材の最上位のクサビ係合部に本考案支持金具を設けた状態の正面図。
【図４】図３のＡ−Ａ矢視平面図。
【図５】図３のＢ−Ｂ矢視平面図。
【図６】図３の一対の縦地パイプ材にネットを設置した状態の高さ方向の中間の省略した正面図。
【図７】図３の一対の縦地パイプ材に従来のシート緊張装置を設けた状態に高さ方向の中間を省略した正面図。
【考案を実施するための形態】
【００１６】
次に、本考案の実施の形態例（以下、実施例という）について、上記図１~図７の図を参照して説明する。
まず図３~図７において、１は、仮設足場（足場全体の図は省略）に使用されている足場部材の中の縦地パイプ材で、本考案支持金具ＴＰが使用される対象物である。
前記縦地パイプ材１は、仮設足場にて張設される仮設シートＳの左右幅に合わせた左右の離間距離で足場に配置された前記縦地パイプ材１が立設される。図３~図７は、仮設足場に配置された前記縦地パイプ材１のうち、左右で一対（２本）の縦地パイプ材１，１を、仮設足場に多数立設される縦地パイプ材の代表例として示している。
【００１７】
図示した一対の上記縦地パイプ材１の外周上に平面から見て略９０°間隔で後述するクサビ部材を嵌入，係合できる略ボックス状（略短筒状）をなす４個の係合部２ａ~２ｄを具備している（図４参照）。なお、前記パイプ材１の左右側の係合部２ｂ，２ｄと、前後面の係合部２ａ，２ｃとは、異なる高さで設けられている。
【００１８】
縦地パイプ材１の高さ方向に略等ピッチで設けた夫々の高さにおける４個の係合部２ａ~２ｄにおいて、一対の縦地パイプ材１，１同士の対向する側面に位置した各高さ位置での係合部２ｄ，２ｂには、両端に下向きのクサビ部材４ａ，４ｂを備えた横架材３が夫々に係設されている。この構成により、一対の縦地パイプ材１，１は、正面から視て略梯子型 を呈する足場構成部材ＦＭに形成されている。
【００１９】
本考案支持金具ＴＰは、上記足場構成部材ＦＭにおける一対の縦地パイプ材１，１において、最上位の４つの係合部２ａ~２ｄの中で、縦地パイプ材１の前面側（正面側）に位置する左右の係合部２ａ，２ａに、夫々に装着される支持金具である。前記支持金具ＴＰは、以下の構成を備えているので、図１，図２を参照して次に説明する。
【００２０】
図１，図２に示す本考案支持金具ＴＰにおいて、１０は前記縦地パイプ材１の前面に設けられている係合部２ａに嵌入するため舌片状に垂下させたクサビ状の嵌入部で、この嵌入部１０における左右側面の上部寄りの中間部に左右幅を下半側より一段大きくした段部１０ａを備えている。前記係合部２ａにこの段部１０ａの位置までが嵌入される。
【００２１】
１１は、前記嵌入部１０の前面上部に一体に配置した略短筒状で平面視略正方形状の本体部であり、該本体部１１の左右側面には、図示しないクサビ部材の を嵌入して支持する略短筒状のクサビ受入部１２，１３が設けられている。前記クサビ受入部１２，１３は、本体部１１が存在することによって前記嵌入部１０の左右側の外側に配置されることになる。
言い換えれば左右のクサビ受入部１２，１３は嵌入部１０の中心線に関し左右対称な位置に形成されている。これは本考案支持金具ＴＰの左右に関する方向性が生じないようにするためである。
【００２２】
前記本体部１１とその左右側に形成した２つのクサビ受入部１２，１３の各正面壁が形成する本考案支持金具ＴＰの正面壁１４の略央部には、後述する仮設シートＳのハトメｈを掛け止める２本の上向きのフック１５，１６が左右に並んで設けられており、以上の構成により本考案支持金具ＴＰの一例を形成する。
【００２３】
前記２つのフック１５，１６は、１本の鋼線を曲げて形成したものであるが、フック１５とフック１６を個別に形成したものであってもよい。また、図示した支持金具ＴＰにおいて、上記嵌入部１０，本体部１１，左右のクサビ受入部１２，１３、および正面壁１４は、適宜大きさ，形状に整えた鋼板を曲げて加工して溶接等により結合一体化して本考案支持金具ＴＰの一例を形成したものである。本考案支持金具ＴＰの製法や出来上り形態は、上記例に限られるものではなく、例えば、鋳造や鍛造などにより製造したものであってもよい。
【００２４】
上記の本考案支持金具ＴＰは、図示した足場構成部材ＦＭの一対の縦地パイプ材１，１における最上位の左右の係合部２ａと同２ａに、２つの金具ＴＰ，ＴＰにおける夫々のクサビ状の嵌入部１０，１０を嵌入して支持される。
【００２５】
上記取付態様により、左右の支持金具ＴＰは、縦地パイプ材１，１の前面に位置した左右支持部２ａ，２ａに、舌片状の嵌入部１０，１０が夫々に嵌入して支持されたことにより、足場構成部材ＦＭを平面から視たとき、図４に示すように、当該支持金具ＴＰは、その前後幅分が、前方へ突出した態様に位置付けられる。
【００２６】
そこで、左右端にクサビ部材４ａ，４ｂを備え、中間にランナ部材を介したハトメｈの掛け止め用のフック１７（図６参照、図４ではフック17は省略。）を備えた横架材３１を、左右の支持金具ＴＰ，ＴＰにおける対向した内側のクサビ受入部１２，１３に、前記クサビ部材４ａ，４ｂを嵌入することにより、前記左右の支持金具ＴＰに横架材３１を架設し、その横架材３１を縦地パイプ材１の前面から突出離間させて設けることができる。
【００２７】
左右の縦地パイプ材１，1の最上位の左右の係合部２ａ，２ｄに支持させて配置した本考案支持金具ＴＰ，ＴＰのクサビ受入部１２，１３に、クサビ部材４ａ，４bを嵌合させて架設した横架材３１に対し、当該縦地パイプ材１，１の最下位部にテンションレール３２が設けられている。
【００２８】
前記テンションレール３２は、前記縦地パイプ材１，１を平面から見たとき、前記の最上位の横架材３１の真下に（重複して）位置するように、縦地パイプ材１，１に、ブラケット付きの、ここではクサビ式のクランプ５ａ，５ｂを介入して設けられている。ブラケット付きクランプ５ａ，５ｂにおけるブラケット５１ａ，５１ｂの先端部は、テンションレール３２の両端部に結合されるレール結合部６ａ，６ｂを備えている。
【００２９】
前記テンションレール３２は、両端部前面に仮設シートＳのハトメｈを掛け止める下向きフック７ａ，７ｂを有すると共に、その長さ方向中間部に少なくとも下向きフック７ｃを有するランナ部材７の複数個（一例として仮設シートＳの下端部における中間部位のハトメの数と同数）を具備している。クランプ５ａ，５ｂにおいて、５１ｃ，５１ｄはクサビ部材である。前記テンションレール３２は、着脱式の水平器８を備えている。左右のクランプ５ａ，５ｂの縦地パイプ材１，１における高さを合わせるときの基準とするためである。
【００３０】
上記のように、仮設足場において縦地パイプ材１の最上位に設ける横架材３１を支持するため、本考案支持金具ＴＰを、前記縦地パイプ材１が備えているポケット状の係合部２ａ~２ｄのうち、前面の係合部２ａに舌片状の嵌入部１０を嵌合させて設けたから、縦地パイプ材１の前面から離間した位置で前記横架材３１を支持することができる。
【００３１】
このようにして本考案支持金具ＴＰを介して横架材３１を左右の縦地パイプ材１，１の最上位に配置することができるから、前記縦地パイプ材１，１の最下位に配置されるテンションレール３２と、縦地パイプ材１，１の前面に対する離間量を整合させることができる。従って、前記横架材３１とテンションレール３２が夫々に備える上向きフック１７と下向きフック７ｃとに、仮設シートＳにおける上下の端辺に備わるハトメｈを掛け止めて当該仮設シートＳを仮止めすると、仮止め状態で前記最下位のテンションレール３２を縦地パイプ材１，１の上で上下位置を調節することにより、前記仮設シートＳを、前記最上位の横架材３１とテンションレール３２の間で、ピンと緊張させて張設することができる。
【００３２】
このとき、前記横架材３１とテンションレール３２は、縦地パイプ材１，１の前面から離れて位置付けられているから、前記横架材３１に吊り下げられてテンションレール３２により下端側が引っ張られる仮設シートＳは、他の足場構成部材に触れることなくピンと張った状態で設置することができる。
【００３３】
本考案は以上の通りであって、仮設シートを足場にピンと張るために、従来技術では、2本のテンションレールを仮設足場の縦地パイプ材の最上位部と最下位部の２箇所に設けることが必須であったものを、本考案では、本考案支持金具を仮設足場の縦地パイプ材の最上位に設け、設置する仮設シートの最上端部を吊下支持する横架材を、前記支持金具に支持させて設けることができるようにしたから、重量が大きなテンションレールを前記足場の最上位に人手により持ち上げることを省くことができる。
【符号の説明】
【００３４】
１  仮設足場の縦地パイプ材
２ａ~２ｄ  ボックス状の係合部
３，３１  横架材
３２  テンションレール
４ａ，４b  横架材３，３１が備えるクサビ部材
５ａ，５ｂ  テンションレールのクランプ
ＴＰ  本考案支持金具
１０  舌片状（略クサビ状）の嵌入部
１１  短筒状の本体部
１２，１３  クサビ受入部
１４  正面壁
１５，１６  上向きフック
１７  下向きフック
Ｓ  仮設シート
ｈ  ハトメ
【図１】
0003208108.tif 000003
【図２】
0003208108.tif 000004
【図３】
0003208108.tif 000005
【図４】
0003208108.tif 000006
【図５】
0003208108.tif 000007
【図６】
0003208108.tif 000008
【図７】
0003208108.tif 000009